(57)【要約】【課題】本発明の技術的課題は、着用者の脚を長く、胴を短く見せることが可能な、気軽に着用できる衣服を得る。【解決手段】トップス部２とボトムス部３との少なくともいずれか一方の前身頃２ａ，３ａに、下方に行くに従って前記前身頃の軸線に次第に近づくように傾斜する目視可能な線を備えた左右一対の前身頃側模様と、前記トップス部２の後見頃２ｂにおける軸線と交差し、且つそのトップス部２の幅方向に連続的に延びる目視可能な線を備えた第１の後見頃側模様と、前記トップス部２の後見頃２ｂにおける前記後見頃側幅方向模様よりも下方側とボトムス部３の後見頃３ｂの少なくともいずれか一方に、下方に行くに従って前記後身頃の軸線に次第に近づくように傾斜する目視可能な線を備えた左右一対の第２の後身頃側模様とを設ける。【選択図】図１
2015137439.tif 000002
【特許請求の範囲】
【請求項１】
上半身に着用するトップス部と、着用者の左右の大腿の少なくとも一部を覆う左右一対の大腿部被覆部を有する、下半身に着用するボトムス部とを備えた衣服であって、
前記トップス部とボトムス部との少なくともいずれか一方の前身頃に、下方に行くに従って前記前身頃の軸線に次第に近づくように傾斜する目視可能な線を備えた左右一対の前身頃側模様と、
前記トップス部の後見頃における軸線と交差し、且つそのトップス部の幅方向に連続的に延びる目視可能な線を備えた第１の後見頃側模様と、
前記トップス部の後見頃における前記後見頃側幅方向模様よりも下方側とボトムス部の後見頃の少なくともいずれか一方に、下方に行くに従って前記後身頃の軸線に次第に近づくように傾斜する目視可能な線を備えた左右一対の第２の後身頃側模様とを有する、衣服。
【請求項２】
前記トップス部は、予め定めた間隔を空けて相互に並行するように配設された目視可能な複数の線状又は帯状に形成された前記一対の前身頃側模様を複数対備えていて、これらの各対の前身頃側模様は、隣り合う他の対の前身頃側模様と相互に非接触且つ予め定めた間隔を空けて配置されている、請求項１に記載の衣服。
【請求項３】
前記ボトムス部は、前記一対の前身頃側模様を備えている、請求項１又は請求項２のいずれか１項に記載の衣服。
【請求項４】
前記トップス部は、前見頃の左右両側に、予め定めた間隔を空けて相互に並行するように配設された目視可能な複数の線状又は帯状の模様からなる左右一対の縞状模様部を、前記前身頃側模様とは別に備えている、請求項１〜３のいずれか１項に記載の衣服。
【請求項５】
前記左右一対の縞状模様部は、３本以上の線状又は帯状の模様から形成されていると共に、隣り合う線状又は帯状の模様間の各間隔が、トップス部の前身頃における直近の幅方向の端部側に位置する線状又は帯状の模様間の間隔ほど幅狭になる、請求項４に記載の衣服。
【請求項６】
前記ボトムス部における一対の大腿被覆部は、各裾部の下端部が、内腿側からボトムス部の直近の端部側に斜め上方に向けてそれぞれ傾斜している、請求項１〜５のいずれか１項に記載の衣服。
【請求項７】
前記トップス部は、着用者の上半身における体幹部分を覆う本体部と、基端側が前記本体部に連結された、着用者の左右の上腕を覆う左右一対の上腕被覆部とを有していて、これらの一対の上腕被覆部は、袖幅が、着用者の上腕の幅の比べて大きく形成されている、請求項１〜６のいずれか１項に記載の衣服。
【請求項８】
前記トップス部の一対の上腕被覆部は４〜５分丈である、請求項７に記載の衣服。
【請求項９】
前記ボトムス部の一対の大腿被覆部は４〜５分丈である、請求項１〜８のいずれか１項に記載の衣服。
【請求項１０】
前記トップス部は、胸部を被覆する部分において、着用者の乳房の膨らみの頂部に相当する高さ位置を基準高さとして、その基準高さよりも高い部分に明度の高い色彩を付した明色領域を備えていると共に、前記基準高さよりも低い部分に明色領域の色彩よりも明度が低い暗色領域を備えている、請求項１〜９のいずれか１項に記載の衣服。
【請求項１１】
前記衣服は水着である、請求項１〜１０のいずれか１項に記載の衣服。
【発明の詳細な説明】
【技術分野】
【０００１】
本発明は、衣服に関するものであり、特に着用者の体形を美しく見せることができる衣服に関する。
【背景技術】
【０００２】
衣服として、例えば女性が着用する水着は、従来より様々な形状や模様、色彩のものが提供されているが、水着は着用者の体にフィットするため、着用者の体形が外観にあらわれ易い。
そのため、近年では水着の見頃のパターン切り替えや縫製、素材等を変えることにより、体形を美しく見せる工夫、特に、脚を長く見せることにより全体としてのスタイルを良く見せるための工夫が施されていることが少なくない。この場合においては、水着によって着用者の体、例えばウエストや大腿を締め付けるなどして実際に体形を矯正し、着用者の体を引き締めてすっきりとした体形に見せることにより、視覚的に脚が長く見える効果を得ようとすることが行われることが多い。
しかしながら、例えばスポーツやフィットネスなどの運動を行う場合には、着用者の体を締め付けて体形を矯正すると、自由な体の動きが阻害されるだけでなく、着用者の体に多大な負担がかかるため、適切でない。
【０００３】
そのため、例えば特許文献１に記載されているように、視覚上の錯覚、いわゆる錯視を利用して、水着の着用者の体形を美しく見せようとすることが提案されている。この特許文献１に記載の水着の場合、水着全体に略同形状の柄を連続的に設けて、胸部分及び／または臀部分の柄を腹部分の柄よりも大きく形成することにより、着用者の体形を体の凹凸に準じて立体的に見えるようにして、より女性らしい体形に見せるようにしている。
しかしながら、この特許文献１の場合、体の凹凸を強調してより女性らしい体形に見せることは可能であると考えられるが、模様の大小のみでは脚長に見える効果を得ることは難しく、人によっては必ずしも満足するようなスタイルが得られない可能性がある。
【０００４】
一方、水着においては、脚の付け根部分のカットを深くしたハイレグカット（Ｈｉｇｈ
ｌｅｇ  Ｃｕｔ（いわゆるハイレグ））によって、視覚的に脚が長く見えるという錯視効果を得られることが広く知られている。
しかしながら、一般女性の場合、スポーツやフィットネスなどの運動を行う際にハイレグカットの水着を着用することに抵抗を感じることが多い。また、ハレグカットや、脚の付け根部分のカットを浅くしたローレッグカット（Ｌｏｗ  ｌｅｇ  Ｃｕｔ（いわゆるローレグ））に関わらず、大腿の肌の露出をできるだけ抑えたいという心理が作用する場合もある。
そのため、現在では大腿まで被覆するボトムス部を備えた水着を着用する傾向が強く、したがって、ハイレグカットによって脚長に見える錯視効果はあまり利用されない場合が多いのが実情である。
【先行技術文献】
【特許文献】
【０００５】
【特許文献１】特開平１１−３２３６２４号公報
【発明の概要】
【発明が解決しようとする課題】
【０００６】
本発明の技術的課題は、着用者の脚を長く、胴を短く見せる錯視効果を得ることが可能な、気軽に着用できる衣服を提供することにある。
【課題を解決するための手段】
【０００７】
前記課題を解決するため、本発明の衣服は、上半身に着用するトップス部と、着用者の左右の大腿の少なくとも一部を覆う左右一対の大腿部被覆部を有する、下半身に着用するボトムス部とを備えた衣服であって、前記トップス部とボトムス部との少なくともいずれか一方の前身頃に、下方に行くに従って前記前身頃の軸線に次第に近づくように傾斜する目視可能な線を備えた左右一対の前身頃側模様と、前記トップス部の後見頃における軸線と交差し、且つそのトップス部の幅方向に連続的に延びる目視可能な線を備えた第１の後見頃側模様と、前記トップス部の後見頃における前記後見頃側幅方向模様よりも下方側とボトムス部の後見頃の少なくともいずれか一方に、下方に行くに従って前記後身頃の軸線に次第に近づくように傾斜する目視可能な線を備えた左右一対の第２の後身頃側模様とを有するものである。
【０００８】
本発明においては、前記トップス部は、予め定めた間隔を空けて相互に並行するように配設された目視可能な複数の線状又は帯状に形成された一対の前身頃側模様を複数対備えていて、これらの各対の前身頃側模様は、隣り合う他の対の前身頃側模様と相互に非接触且つ予め定めた間隔を空けて配置されているものとすることができる。
【０００９】
さらに、本発明においては、前記ボトムス部は、前記一対の前身頃側模様を備えているものとすることができる。
【００１０】
また、本発明においては、前記トップス部は、前見頃の左右両側に、予め定めた間隔を空けて相互に並行するように配設された目視可能な複数の線状又は帯状の模様からなる左右一対の縞状模様部を、前記前身頃側模様とは別に備えているものとすることができる。
このとき、前記左右一対の縞状模様部は、３本以上の線状又は帯状の模様から形成されていると共に、隣り合う線状又は帯状の模様間の各間隔が、トップス部の前身頃における直近の幅方向の端部側に位置する線状又は帯状の模様間の間隔ほど幅狭になる構成とすることが好ましい。
【００１１】
さらに、本発明においては、前記ボトムス部における一対の大腿被覆部は、各裾部の下端部が、内腿側からボトムス部の直近の端部側に斜め上方に向けてそれぞれ傾斜しているものとすることができる。
【００１２】
本発明においては、前記トップス部は、着用者の上半身における体幹部分を覆う本体部と、基端側が前記本体部に連結された、着用者の左右の上腕を覆う左右一対の上腕被覆部とを有していて、これらの一対の上腕被覆部は、袖幅が、着用者の上腕の幅の比べて大きく形成されているものとすることができる。
この場合、前記トップス部の一対の上腕被覆部は４〜５分丈であるものとすることが好ましい。
【００１３】
また、本発明においては、前記ボトムス部の一対の大腿被覆部は４〜５分丈であるものとすることができる。
さらに、本発明においては、前記トップス部は、胸部を被覆する部分において、着用者の乳房の膨らみの頂部に相当する高さ位置を基準高さとして、その基準高さよりも高い部分に明度の高い色彩を付した明色領域を備えていると共に、前記基準高さよりも低い部分に明色領域の色彩よりも明度が低い暗色領域を備えているものとすることが好ましい。
また、本発明においては、前記衣服は水着であるものとすることができる。
【発明の効果】
【００１４】
本発明によれば、前身頃には、下方に行くに従って前記前身頃の軸線に次第に近づくように傾斜する目視可能な線を備えた左右一対の前身頃側模様が設けられているため、この前身頃側模様がミュラー・リヤー錯視を生じさせることが可能である。これにより、着用者を正面側から見たときには、前記前身頃側模様がない場合に比べ、着用者の胴が短く且つ脚が長く見える錯視効果を得ることができる。
また、後見頃には、トップス部の後見頃における軸線と交差し、且つそのトップス部の幅方向に延びる目視可能な線を備えた第１の後見頃側模様と、この第１の後見頃側模様よりも下方側に、下方に行くに従って前記後身頃の軸線に次第に近づくように傾斜する目視可能な線を備えた左右一対の第２の後身頃側模様とが設けられているため、これらの第１の後見頃側模様及び第２の後見頃側模様とによりミュラー・リヤー錯視を生じさせることが可能である。これにより、着用者を背面側から見た場合であっても、前記第１の後身頃側模様及び第２の後見頃側模様がない場合に比べて、着用者の胴が短く且つ脚が長く見える錯視効果を得ることができる。
【図面の簡単な説明】
【００１５】
【図１】図１は本発明に係る衣服の第１の実施の形態を模式的に示す正面図である。
【図２】図２は同背面図である。
【図３】図３は第１の実施の形態の衣服におけるボトムス部を模式的に示す正面図である。
【図４】図４はミュラー・リヤー錯視について説明するための図である。ただし、（ａ）第１の線分、（２）第２の線分をそれぞれ示す。
【図５】図５は奥行きを強調することにより幅が狭く見える錯視について説明するための図である。ただし、（ａ）錯視効果がない物体の正面図、（２）錯視効果がある物体の正面図をそれぞれ示す。
【図６】図６は本発明に係る衣服の第２の実施の形態を模式的に示す正面図である。ただし、色彩の違いはドットの密度の違いによってあらわしている。
【図７】図７は同背面図である。
【図８】図８は本発明に係る衣服の第３の実施の形態を模式的に示す正面図である。ただし、色彩の違いはドットの密度の違いによってあらわしている。
【図９】図９は同背面図である。
【図１０】図１０は第３の実施の形態の衣服におけるボトムス部を模式的に示す正面図である。
【図１１】図１１は第３の実施の形態の衣服における上腕被覆部の構成を説明する図である。
【発明を実施するための形態】
【００１６】
図１〜図３は、本発明に係る衣服の第１の実施の形態を示すもので、この実施の形態においては、衣服として、特に女性が着用するのに好適な水着について説明する。
即ち、この実施の形態の水着１Ａは、上半身に着用するトップス部２と、着用者の左右の大腿の少なくとも一部を覆う後述の左右一対の大腿被覆部１２，１３を有する、下半身に着用するボトムス部３とを備えたものである。
この実施の形態においては、これらのトップス部２とボトムス部３とは相互に別体に形成されていて、別々に着用することが可能となっている。
【００１７】
前記トップス部２は、着用者の上半身における体幹部分、具体的には、胸部及び腹部並びに背中を覆う本体部６と、この本体部６の上端側中央に設けられた、着用者の頭を通す襟ぐり部７と、前記本体部６の上方側の左右両端に設けられた、着用者の左右の腕を通す一対のアームホール部８，８と、本体部６の下端側に設けられたトップス部側裾部９とを備えている。なお、この実施の形態においては、前記トップス部６は、袖のないスリーブレスの構成となっている。
一方、前記ボトムス部３は、上端側に設けられたウエスト部１１と、股部において二股に分岐する左右一対の前記大腿被覆部１２,１３と、各大腿被覆部１２，１３の下端側に設けられた脚を挿脱させるボトムス部側裾部１４，１５とを備えている。なお、この実施の形態におけるボトムス部の大腿被覆部１２，１３は、二分丈〜三分丈程度の長さとなっている。
【００１８】
そして、前記水着１Ａには、前記トップス部２とボトムス部３との各前身頃２ａ，３ａに、下方に行くに従って前記前身頃２ａ，３ａの軸線、より具体的には水着１Ａの幅方向（左右方向）の中央に位置して上下方向に延びる軸線に次第に近づくように傾斜する線状に形成された、左右一対の前身頃側模様がそれぞれ設けられている。
さらに、前記トップス部２の前見頃２ａには、複数の線状の模様からなる左右一対の縞状模様部３１が配設されている。
また、前記トップス部２の後見頃２ｂに、そのトップス部２の後見頃２ａおける軸線、より具体的には水着１Ａの幅方向の中央に位置して上下方向に延びる軸線と交差し、且つそのトップス部２の幅方向に延びる目視可能な線を備えた第１の後見頃側模様と、前記トップス部２及びボトムス部３との各後見頃２ｂ，３ｂに設けられた、下方に行くに従って前記後身頃２ｂ、３ｂの軸線に次第に近づくように傾斜する線状に形成された左右一対の第２の後身頃側模様とが配設されている。
【００１９】
具体的に説明すると、前記水着１Ａの前身頃に関して、前記トップス部２の本体部６の前身頃（正面側）には、前記トップス部２に設けられた前身頃側模様として、下方に行くに従って前記トップス部２の前身頃２ａの軸線に次第に近づくように傾斜する目視可能な線を備えた左右一対の第１傾斜模様２１が配設されている。
また、この第１傾斜模様２１とは別に、下方に行くに従って前記トップス部２の前身頃２ａの軸線に次第に近づくように傾斜する目視可能な線を備えた左右一対の第２傾斜模様２２とが配設されている。
さらに、前記トップス部２は、前見頃２ａの左右両側に、目視可能な複数の線状の模様からなる前記左右一対の縞状模様部３１が、前記第１傾斜模様２１及び第２傾斜模様２２とは別に設けられている。
【００２０】
前記第１傾斜模様２１は、図１に示すように、前記トップス部２の本体部６における前身頃２ａの左右の脇下あたり、即ち前記左右のアームホール部８，８の下端側よりもやや下方に位置する部分から、トップス部２の前身頃の軸線の近傍までそれぞれ延びる、斜め下方向に傾斜した左右一対の線状の模様２１ａ，２１ｂとなっている。
より具体的に、前記本体部６の左側に位置する線状の模様２１ａについては、その本体部６の前身頃の左側の端部からトップス部２の前身頃２ａの軸線に向けて斜め右下方向に延びる、緩やかな曲線状に形成されている。
一方で、前記本体部６の前身頃の右側に位置する線状の模様２１ｂについては、その本体部６の前身頃の左側の端部から本体部の前身頃の軸線に向けて斜め左下方向延び、且つ前記左側に位置する模様とほぼ同様の曲率で曲がる、緩やかな曲線状に形成されている。
したがって、これらの左側に位置する線状の模様２１ａと右側に位置する線状の模様２１ｂとは、前記トップス部２の前身頃２ａの軸線を対称軸とする線対称の形状となっている。
なお、対になっている前記左右の線状の模様２１ａ，２１ｂは、相互に非接触となっていて、いずれもほぼ同じ太さ（幅）、且つほぼ同じ長さとなっている。
【００２１】
この実施の形態においては、前記第１傾斜模様２１は、複数（図１に示すものの場合９つ）設けられている。
これらの第１傾斜模様２１は、配置高さがそれぞれ異なっていて、予め定めた間隔を空けた状態で配置され、且つ他の対の第１傾斜模様２１、即ち上下方向において隣り合う他の第１傾斜模様２１とは相互に非接触な曲線となっている。
また、前記各第１傾斜模様２１は、隣り合う他の第１傾斜模様２１との間の間隔が、各第１傾斜模様を構成する線状の模様２１ａ，２１ｂの幅に比べて十分に広い状態にそれぞれ並設されている。
さらに、隣り合う第１傾斜模様２１，２１の間の間隔は、前記本体部６の幅方向の直近の端部側、即ち上端側が最も狭く、トップス部２の前身頃２ａの軸線側、即ち下端側に行くに従って次第に間隔が広くなっている態様となっている。
【００２２】
前記第２傾斜模様２２は、左右一対の三角形状の模様２２ａ，２２ｂにより形成されたもので、これらの三角形状の模様２２ａ，２２ｂが、前記本体部６の前身頃の左右両端側における下端側、即ち、トップス部側裾部９に接した状態で配設された態様となっている。
具体的に、前記第２傾斜模様２２を形成する前記左右一対の三角形状の模様２２ａ，２２ｂは、図１に示すように、正面視において、前記トップス部側裾部９を底辺とし、且つ上方側に頂部を有する形状に形成されている。そして、これらの三角形状の模様２２ａ，２２ｂのうちの一辺が、前記本体部の幅方向の直近の端部から前記前身頃の軸線に次第に近づくように斜め下方向に傾斜する辺（端面）となっていて、この傾斜する一辺が、下方に行くに従って前記前身頃の軸線に次第に近づくように傾斜する目視可能な線として機能するようになっている。
【００２３】
また、図１及び図３に示すように、前記ボトムス部３の前身頃３ａ（正面側）には、ボトムス部３に設けられた前身頃側模様として、下方に行くに従って前記前身頃３ａの軸線に次第に近づくように傾斜する目視可能な線状に形成された左右一対の第３傾斜模様２３が配設されている。さらに、この第３傾斜模様とは別に、下方に行くに従って前記前身頃３ａの軸線に次第に近づくように傾斜する目視可能な線を備えた左右一対の第４傾斜模様２４が配設されている。
【００２４】
前記第３傾斜模様２３は、前記ボトムス部３の前見頃３ａと後見頃３ｂとの連結部分（即ち、ボトムス部３の左右両端部分）における前記ウエスト部１１の近傍から、前記大腿被覆部１２，１３を通って前記ボトムス部側裾部１４，１５にまでそれぞれ延びる、ボトムス部３の前記軸線の近傍に向けて斜め下方向に傾斜した左右一対の線状の模様２３ａ，２３ｂとなっている。
より具体的には、図１及び図３に示すように、前記第３傾斜模様２１のうち、前記ボトムス部３の左側に位置する線状の模様２３ａについては、そのボトムス部３の前身頃におけるウエスト部１１近傍の左側の端部から左側の大腿被覆部１２を通って、その左側の大腿被覆部１２のボトムス部側裾部１４のほぼ中央の位置に達するように、ボトムス部３の前身頃３ａの軸線に向けて斜め右下方向に延びる直線状あるいは曲線状に形成されている。
一方、前記ボトムス部３の右側に位置する線状の模様２３ｂについては、そのボトムス部３の前身頃３ａにおけるウエスト部１１近傍の右側の端部から右側の大腿被覆部１３を通って、その右側の大腿被覆部１３のボトムス部側裾部１５のほぼ中央の位置に達するように、ボトムス部３の前身頃３ａの軸線に向けて斜め左下方向に延びる直線状あるいは曲線状に形成されている。
【００２５】
また、前記第４傾斜模様２４は、左右一対の三角形状の模様２４ａ，２４ｂにより形成されたもので、これらの三角形状の模様２４ａ，２４ｂが、前記ボトムス部３の前身頃３ａの左右両端側における下端側、即ち、ボトムス部側裾部１４，１５に接した状態で配設された態様となっている。
具体的に、前記第４傾斜模様２４を構成する前記左右一対の三角形状の模様２４ａ，２４ｂは、ボトムス部３の正面視において、前記ボトムス部側裾部１４，１５を底辺とし、且つ上方側に頂部を有する形状に形成されている。これらの三角形状の模様２４ａ，２４ｂのうちの一辺が、ボトムス部３の大腿被覆部１２，１３の幅方向の直近の端部からボトムス部３の前身頃３ａの軸線に次第に近づくように斜め下方向に傾斜する辺（端面）となっている。そして、この傾斜する一辺が、下方に行くに従って前記ボトムス部３の前身頃３ａの軸線に次第に近づくように傾斜する目視可能な線として機能するようになっている。
【００２６】
ここで、下方に行くに従って前記前身頃の軸線に次第に近づくように傾斜する目視可能な線を備えた前身頃側模様として、前記トップス部２に前記第１傾斜模様２１及び第２傾斜模様２２を設けると共に、前記ボトムス部３に前記第３傾斜模様２３及び第４傾斜模様２４を設けたのは、着用者を正面側から見た場合において、錯視により着用者の胴を短く、且つ脚を長く見せるためである。
即ち、前記第１〜第４傾斜模様２１〜２４、即ち前身頃側模様を下方向きに凸となる斜線（矢印）として機能させることにより、これらの第１〜第４傾斜模様２１〜２４の各位置においてミュラー・リヤー錯視を発現させて、着用者の胴を短く見せ、相対的に足を長く見せるようにしている。
【００２７】
この点について、図４に示す、上下方向に延びる同じ長さの線分２９，３０を用いて具体的に説明する。
例えば、線分の少なくとも一端に、この線分に近づく方向に凸となる、即ち、線分の上端側においては下方に凸となる斜線を、下端側においては上方に凸となる斜線をそれぞれ付した場合第１の線分２９（図４（ａ）参照）と、線分の少なくとも一端に、この線分に遠ざかる方向に凸となる斜線、即ち、線分の上端側においては上方に凸となる斜線を、下端側においては下方に凸となる斜線をそれぞれ付した第２の線分３０（図４（ａ）参照）とを比較する。
このとき、錯視により第２の線分３０の方が第１の線分２９よりも短く見えることが知られていて、このような錯視はミュラー・リヤー錯視と呼ばれる。
人間の脳は、第１の線分２９を見た場合には、斜線の方向に起因して、奥行きがある空間内において線分自体が空間の奥側にあると認識する一方、第２の線分３０を見た場合には、斜線の方向に起因して、空間内において線分自体が空間の手前側にあると認識する。
そのため、同じ長さに見える線分であれば、空間の奥側にある線分の方が長いと知覚することから、前記ミュラー・リヤー錯視が発現するといわれている。
【００２８】
そのため、この発明においては、このミュラー・リヤー錯視が発現するための斜線として、水着の前身頃に、下方に行くに従って前記前身頃の軸線に次第に近づくように傾斜する目視可能な線を備えた前身頃側模様を設けている。
そして、この実施の形態においては、前記前身頃側模様として、前記第１〜第４傾斜模様２１〜２４を配設し、これらの第１〜第４傾斜模様２１〜２４が下方向きに凸となる斜線を形成することにより、水着１Ａの上下方向の長さが短く見え易くしている。
【００２９】
また、前記ミュラー・リヤー錯視は、斜線を配設した各部分において発現するといわれているため、前記第１〜第４傾斜模様２１〜２４が配設された各位置において、水着１Ａの上下方向の長さを短く見えるような錯視、即ち、これらの第１〜第４傾斜模様２１〜２４が配設されている各位置を上方側に引き上げるように見える。
この結果、水着１Ａの上下方向の長さが全体として短く見えるため、着用者を正面側から見た場合には、着用者の胴が短く見える錯視効果が得られて、相対的に脚の長さが長く見せることが可能となる。
【００３０】
一方、前記水着１Ａの後身頃に関して、前記トップス部２の本体部６の後身頃（背面側）には、前記第１の後見頃側模様として、このトップス部２の後見頃２ｂにおける軸線と交差し、且つそのトップス部２の後見頃２ｂの幅方向（左右方向）に延びる目視可能な線を備えた幅方向模様２５が設けられている。
さらに、トップス部２側に設けられた左右一対の第２の後身頃側模様として、前記幅方向模様２５よりも下方側に、下方に行くに従って前記トップス部２の後身頃２ｂの軸線に次第に近づくように傾斜する目視可能な線を備えた２種類の傾斜模様がそれぞれ設けられている。即ち、前記トップス部２側の第２の後見頃側模様として、一対の線状の模様からなる第５傾斜模様２６と、前記トップス部２の前身頃側に設けられた第２傾斜模様２２と同様に、左右一対の三角形状の模様の一辺により形成される第６傾斜模様２７とが配設されている。
【００３１】
前記幅方向模様２５は、前記本体部６の後見頃における左右のアームホール部８，８の縁部分の間の空間に、これらの左右のアームホール部８，８の縁部分の間を架け渡すように、即ち、トップス部２の後見頃２ｂにおける軸線と交差し、且つその後見頃２ｂの幅方向に延びるように設けられている。
また、この実施の形態においては、前記幅方向模様２５は、長さ方向の中央部分が上方側に凸となるように緩やかに湾曲した曲線状に形成されている。
【００３２】
また、前記第５傾斜模様２６は、前記トップス部２の本体部６の後見頃における左右のアームホール部８，８の下端側あたり、具体的には、左右のアームホール部８，８における着用者の肩甲骨にあたる部分のやや下方側の縁部分から、下方に行くに従って前記トップス部２の後身頃２ｂの軸線に次第に近づくように傾斜した状態でトップス部側裾部９にまでそれぞれ延びる、左右一対の線状の模様２６ａ，２６ｂにより形成されている。
より具体的に、前記本体部６の後見頃の左側に位置する線状の模様２６ａについては、その本体部６の後見頃の左側のアームホール部８の左側の縁部分から本体部６の後身頃の軸線に向けて斜め右下方向に延びる、緩やかな曲線状に形成されている。一方、前記本体部６の後見頃の右側に位置する線状の模様２６ｂについては、その本体部６の後見頃のアームホール部８の縁部分から本体部６の後身頃の軸線に向けて斜め左下方向延び、且つ前記左側に位置する線状の模様２６ａとほぼ同様の曲率で曲がる、緩やかな曲線状に形成されている。
したがって、前記第５傾斜模様２６において、これらの左側に位置する模様と右側に位置する模様とは、前記トップス部２の後身頃２ｂの軸線を対称軸とする線対称の形状となっている。
なお、この第５傾斜模様２６の一対の線状の模様２６ａ，２６ｂは、相互に非接触となっていて、いずれもほぼ同じ太さ（幅）、且つほぼ同じ長さとなっている。
【００３３】
さらに、前記第６傾斜模様２７は、左右一対の三角形状の模様２７ａ，２７ｂにより形成されたもので、これらの三角形状の模様２７ａ，２７ｂが、前記本体部６の後見頃の左右両端側における下端側、即ち、トップス部側裾部９に接した状態で配設された態様となっている。
具体的に、前記トップス部２側の第２の後身頃側傾斜模様を構成する前記左右一対の三角形状の模様２７ａ，２７ｂは、図２に示すように、背面側から見たときに、前記トップス部側裾部９を底辺とし、且つ上方側に頂部を有する形状に形成されている。これらの三角形状の模様２７ａ，２７ｂのうちの一辺が、前記本体部６の幅方向の直近の端部から前記トップス部２の後身頃２ｂの軸線に次第に近づくように斜め下方向に傾斜する辺（端面）となっている。そして、この傾斜する一辺が、下方に行くに従って前記トップス部２の後身頃２ｂの軸線に次第に近づくように傾斜する目視可能な線として機能するようになっている。
なお、この第６傾斜模様２７を形成する左右一対の三角形状の模様２７ａ，２７ｂは、前記第２傾斜模様２２を形成する左右一対の三角形状の模様２２ａ，２２ｂとほぼ同形同大となっていて、本体部６の後見頃と前身頃との連結部分において、隣接する前身頃側と後見頃側との三角形状の模様２２ａ，２２ｂ・２７ａ，２７ｂが相互に接した状態となっている。
【００３４】
また、前記ボトムス部３の後見頃３ｂ（背面側）には、ボトムス部３側に設けられた前記左右一対の後見頃側模様として、第７傾斜模様２８が設けられている。
この第７傾斜模様２８は、前記ボトムス部３の前身頃３ａに設けられた第６傾斜模様２７と同様に、左右一対の三角形状の模様２８ａ，２８ｂにより形成されたもので、これらの三角形状の模様２８ａ，２８ｂが、前記ボトムス部３の後身頃３ｂの左右両端側における下端側、即ち、ボトムス部側裾部１４，１５に接した状態で配設された態様となっている。
具体的に、前記第７傾斜模様２８を構成する前記左右一対の三角形状の模様２８ａ，２８ｂは、ボトムス部３の背面視において、前記ボトムス部側裾部１４，１５を底辺とし、且つ上方側に頂部を有する形状に形成されている。これらの三角形状の模様２８ａ，２８ｂのうちの一辺が、ボトムス部３の大腿被覆部１２，１３における直近の幅方向の端部からボトムス部３の後身頃３ｂの軸線に次第に近づくように斜め下方向に傾斜する辺（端面）となっている。そして、この傾斜する一辺が、下方に行くに従って前記ボトムス部３の後身頃３ｂの軸線に次第に近づくように傾斜する目視可能な線として機能するようになっている。
なお、この第７傾斜模様２８を形成する左右一対の三角形状の模様２８ａ，２８ｂは、前記第４傾斜模様２４を形成する左右一対の三角形状２４ａ，２４ｂの模様とほぼ同形同大となっていて、ボトムス部３の後見頃３ｂと前身頃３ａとの連結部分において、隣接する前身頃側と後見頃側との三角形状の模様２４ａ，２４ｂ・２８ａ，２８ｂが相互に接した状態となっている。
【００３５】
ここで、トップス部の後見頃に、トップス部側の第１の後見頃側模様、即ち幅方向模様と、トップス部に設けられた第２の後見頃側模様、即ち第５傾斜模様及び第６傾斜模様を設けると共に、ボトムス部の後見頃に、ボトムス部に設けた第２の後見頃側模様である第７傾斜模様を設けたのは、着用者を背面側から見た場合において、錯視により着用者の胴を短く、且つ脚を長く見せるためである。
即ち、前記幅方向模様２５を上方向きに凸となるような斜線として機能させる一方で、前記第５〜第７傾斜模様２６〜２８，を下方向きに凸となるような斜線として機能させることにより、第５〜第７傾斜模様２６〜２８と幅方向模様２５との間の空間、及び第５〜第７傾斜模様２６〜２８の各位置においてミュラー・リヤー錯視を発現させている。
これにより、着用者を背面側から見た場合には、これらの各模様がない場合に比べて、第５〜第７傾斜模様２６〜２８の各位置を上方に引き上げると共に、幅方向模様２５と第５〜第７傾斜模様と２６〜２８の間の空間を縮めるような錯視を発現させるため、着用者の胴が短く見える錯視効果が得られ、相対的に脚の長さが長く見える。
これにより、着用者を背面側から見た場合であっても、着用者を脚長胴短に見え易くすることが可能となる。
【００３６】
さらに、前記トップス部２の前身頃２ａに設けられている前記縞状模様部３１は、目視可能な複数の線状の模様から形成されたもので、左側及び右側の各縞状模様部３１は、前記複数の左右一対の線状の模様３１ａ，３１ｂが、予め定めた間隔を空けて相互に並行するように配設されていると共に、隣り合う線状の模様３１ａ，３１ａ・３１ｂ，３１ｂと非接触な状態となっている。
この実施の形態においては、前記縞状模様部３１は、左側及び右側の縞状模様部の両方とも、それぞれ７本の線状の模様３１ａ，３１ｂにより形成されていて、各線状の模様３１ａ，３１ｂは、いずれも、前記トップス部２の前身頃２ａの軸線側に向けて凸となるように緩やかに湾曲した曲線状に形成されている。
具体的には、前記縞状模様部３１の線状の模様３１ａ，３１ｂは、基端側（上端側）が前記本体部６の前身頃側におけるアームホール部８，８の周縁部分に位置していると共に、先端側（下端側）が前記本体部６における直近の幅方向の端部に達していて、各線状の模様３１ａ，３１ｂの中間部分に近づくに従って次第に前記トップス部２の前身頃２ａの軸線に近づくように湾曲している。
そして、左側及び右側の縞状模様部３１のそれぞれにおいて、相互に同じ幅の７本の線状の模様３１ａ，３１ｂが、全体として同心円を描くように配置されている。したがって、左側及び右側の縞状模様部３１のそれぞれにおいて、トップス部２における直近の幅方向の端部側に位置する線状の模様の長さが最も短く、逆にトップス部２の軸線側に位置する線状の模様の長さが最も長くなっている。
【００３７】
また、前記一対の縞状模様部３１は、左右の各縞状模様部３１を構成する複数の線状の模様３１ａ，３１ｂの間の間隔、即ち、隣り合う線状の模様３１ａ，３１a・３１ｂ，３１ｂの間の各間隔が、トップス部２の本体部６の前身頃における直近の幅方向の端部側に位置する線状の模様の間の間隔ほど幅狭になるように、各線状の模様３１ａ，３１ｂが配置されている。
したがって、前記縞状模様部は、前記トップス部２の前身頃２ａの最も軸線側に位置する線状の模様３１ａ，３１a・３１ｂ，３１ｂ間の間隔が最も広く、幅方向の端部側に行くに従って線状の模様３１ａ，３１a・３１ｂ，３１ｂ間の間隔は次第に狭くなり、最も端部側に位置する線状の模様３１ａ，３１a・３１ｂ，３１ｂ間の間隔が最も狭い。
【００３８】
このように、前記一対の縞状模様部３１のそれぞれにおける、隣り合う線状の模様３１ａ，３１a・３１ｂ，３１ｂの間の各間隔が、トップス部２の本体部６の前身頃における直近の幅方向の端部側に位置する線状の模様３１ａ，３１a・３１ｂ，３１ｂ間の間隔ほど幅狭になるようにしたのは、着用者を正面側から見た場合において、錯視により着用者の胴を細く見せるためである。
【００３９】
即ち、図５に示すように、正面視において扁平な物体３５に複数の線状の模様３６を付すと共に、これらの線状の模３６様について、隣り合う線状の模様３６，３６の間の各間隔３７が、物体２５の両端部側に位置する線状の模様間の間隔ほど幅狭になるように配設した場合には、奥行きを強調することにより幅が狭く見えるという錯視が発現する。
この錯視は、人間の脳が正確に三次元形状を知覚するに際して、視覚的情報が不足していることが多いことから、脳は足りない情報を推測で補おうとするため、その推測により不正確な形状が特定されることに起因していると考えられている。
そのため、前記一対の縞状模様部３１のように、トップス部２の幅方向の端部側に位置する線状の模様３１ａ，３１a・３１ｂ，３１ｂ間の間隔ほど幅狭になると、奥行きがあると認識されるため錯視が発現し、着用者の幅方向の大きさが奥行きに変換されたような錯視効果が生じる。
これにより、前記一対の縞状模様部３１が存在しない場合に比べて、着用者の胴を細く見せることが可能となる。
【００４０】
なお、前述のように、前記第１傾斜模様２１は、隣り合う他の第１傾斜模様２１との間の間隔が、前記本体部６の直近の幅方向の端部側、即ち基端側（上端側）が最も狭く、前身頃の軸線側、即ち先端側（下端側）に行くに従って次第に間隔が広くなっている態様となっている。
したがって、この複数の第１傾斜模様によっても、前記縞状模様部３１と同様、奥行きを強調することにより幅が狭く見える錯視の効果を発現させることができ、これにより着用者を正面側から見た場合には、錯視によりトップス部２の横幅が狭く見えるため、着用者の胴、特にウエスト部分から臀部の上部にかけて細く見せることが可能となる。
【００４１】
ここで、前記トップス部２やボトムス部３に設けられている第１傾斜模様２１や第３傾斜模様２３、第５傾斜模様２６を形成する線状の模様や、前記第２傾斜模様２２や第４傾斜模様２４、第６傾斜模様２７、第７傾斜模様２８を形成する三角形状の模様、前記幅方向模様２５を形成する線状の模様、前記縞状模様部３１を形成する線状の模様３１ａ，３１ｂは、いずれも、それぞれが配置されている前記トップス部の本体部あるいはボトムス部３の生地の色とは異なる色、例えば相互に異なる彩度や明度の色が着色されている。
このように各模様を形成する線状の模様や三角形状の模様と生地との色を異なるものとすることにより、各模様及び線の存在及び形状を肉眼で容易に目視することができ、錯視効果が生じ易くしている。
【００４２】
ただし、この実施の形態においては、前記第２傾斜模様２２及び第４傾斜模様２４を形成する三角形状の模様２２ａ，２２ｂ・２４ａ，２４ｂは、ボトムス部３の生地の色とほぼ同色としている。
これにより、これらの第２傾斜模様２２及び第４傾斜模様２４を形成する三角形状の模様２２ａ，２２ｂ・２４ａ，２４ｂがボトムス部３と一体化して見えるため、第２傾斜模様及び第４傾斜模様が形成する斜線が水着全体として強調され、前述のミュラー・リヤー錯視をより効果的に発現させることが可能となる。
【００４３】
ところで、前記ボトムス部３における一対の大腿被覆部１２，１３の各裾部の下端部、即ち各大腿被覆部１２，１３におけるボトムス部側裾部１４，１５は、各大腿被覆部１２，１３の内腿側からボトムス部３の直近の幅方向の端部側に斜め上方に向けてそれぞれ傾斜している。
即ち、左側の大腿被覆部１２におけるボトムス部側裾部１４は、その左側のボトムス部側裾部１４の内腿側からボトムス部３の左側の端部側（外腿側）に斜め上方に向けて傾斜した状態となっている。一方、右側の大腿被覆部１３におけるボトムス部側裾部１５は、その右側のボトムス部側裾部１５の内腿側からボトムス部３の右側の端部側（外腿側）に斜め上方に向けて傾斜した状態となっている。
したがって、ボトムス部３は、正面視及び背面視において、左右のボトムス部側裾部１４，１５が、内腿側に行くに従って、即ちボトムス部３の前身頃及び後見頃の軸線側に行くに従って、下方側に位置するように傾斜した状態となっている。
【００４４】
このように、ボトムス部３の左右の大腿被覆部１２，１３のボトムス部側裾部１４，１５を、内腿側からボトムス部３の直近の幅方向の端部側に斜め上方に向けてそれぞれ傾斜させた構成としているのは、ミュラー・リヤー錯視を一層効果的に発現させて、錯視効果を高めためである。
即ち、前述のように、ミュラー・リヤー錯視は、斜線の位置毎に発現するため、一対のボトムス部側裾部のそれぞれの傾斜により形成された一対の線を、下向きに凸となる斜線として機能させることにより、ボトムス部の裾部の下端部においてもミュラー・リヤー錯視を発現させることが可能となる。
これにより、着用者を背面側から見た場合には、一対のボトムス部側裾部を内腿側からボトムス部の直近の幅方向の端部側に斜め上方に向けて傾斜させていない場合に比べて、これらの一対のボトムス部側裾部の位置を上方に引き上げるような錯視を発現させるため、着用者の脛あるいは脹脛の部分が長く見え易く、相対的に着用者の胴が短く見える錯視効果が得られる。
この結果、相対的に脚の長さが長く見えることとなるため、着用者をより効果的に脚長胴短に見え易くすることができる。
【００４５】
なお、この実施の形態においては、前記トップス部２に形成されている前記襟ぐり部７における前身頃部分は、正面視略Ｖ字状に形成されている。これは、襟ぐり部７が正面視略半円形状である場合に比べて、正面視略Ｖ字状である場合の方が着用者の顔が細く見える（シャープに見える）というエコー錯視を利用したものであり、これにより、水着の着用者の顔を小さく見せることが可能となっている。
【００４６】
前記構成を有する水着１Ａは、前身頃に、下方に行くに従って前記前身頃の軸線に次第に近づくように傾斜する目視可能な線を備えた左右一対の前身頃側模様としての第１〜第４傾斜模様２１〜２４を備えているため、これらの各模様２１〜２４の部分において、各模様２１〜２４が形成する目視可能な線によりミュラー・リヤー錯視を生じさせることが可能である。
一方で、後見頃に、トップス部２の後見頃２ｂの幅方向に延びる第１の後見頃側模様としての幅方向模様２５と、該幅方向模様２５の下方側に配設された、水着の下方に行くに従ってトップス部２あるいはボトムス部３の後身頃２ｂ，３ｂの軸線に次第に近づくように傾斜する目視可能な線を備えた左右一対の第２の後見頃側模様としての第５〜第７傾斜模様２６〜２８とを備えている。そのため、これらの各模様２５〜２８が形成する目視可能な線によりミュラー・リヤー錯視を生じさせることが可能である。
さらには、前記ボトムス部３における一対の大腿被覆部１２，１３のボトムス部側裾部１４，１５が、内腿側からボトムス部３の直近の幅方向の端部側に斜め上方に向けてそれぞれ傾斜しているため、この部分においてもミュラー・リヤー錯視を生じさせることが可能である。
これにより、着用者を正面側や背面側から見たときには、前記前身頃側及び後見頃側の各模様がない場合に比べ、着用者の胴が短く且つ脚が長く見える錯視効果を得ることができる。
【００４７】
さらに、前記トップス部２の前身頃２ａに設けた左右一対の縞状模様部３１は、隣り合う線状の模様３１ａ，３１ａ・３１ｂ，３２ｂ間の各間隔が、トップス部２の前身頃２ａにおける直近の幅方向の端部側に位置する線状の模様間の間隔ほど幅狭になるため、錯視効果により前記水着１Ａを着用した着用者の胴の奥行が強調されて胴の幅が狭く見える。
したがって、前記第１〜第７傾斜模様２１〜２４，２６〜２８や、幅方向模様２５、ボトムス部側裾部１４，１５の傾斜等によって発現するミュラー・リヤー錯視による脚を長く且つ胴を短く見せる効果に加え、胴の幅も狭くみせる効果を得ることができるため、これらの錯視の相乗効果により、着用者を一層脚長胴短に見せることができる。
【００４８】
図６及び図７は、本発明の衣服との第２の実施形態を示すもので、この実施の形態の衣服は、前記第１の実施の形態と同様に、衣服が水着である場合について説明する。
即ち、第２の実施の形態の水着１Ｂは、前記第１の実施の形態のような左右一対の前身頃側模様や第１の後見頃側模様、第２の後見頃側模様による錯視効果に加えて、着用者の胸部を被覆する部分を、複数の色彩の違いを利用した錯視によって胸部の膨らみ部分の凹凸に減り張りを持たせる効果を発現させることにより、外観上の体形をより女性らしく見せることを可能としている。
【００４９】
この実施の形態における水着１Ｂは、前記第１の実施の形態と同様に、上半身に着用するトップス部４２と、着用者の左右の大腿の少なくとも一部を覆う左右一対の大腿被覆部５２，５３を有する、下半身に着用するボトムス部４３とを有している。
なお、これらのトップス部４２及びボトムス部４３の基本的な構成、即ち、トップス部４２が本体部４６、襟ぐり部４７、一対のアームホール部４８，４８、トップス部側裾部４９を有している点、及びボトムス部４３がウエスト部（図示せず）、一対の大腿被覆部５２，５３、ボトムス部側裾部５４，５５を有している点については、基本的に前記第１の実施の形態の水着１Ａと同じである。
【００５０】
そして、前記水着１Ｂには、前記トップス部４２とボトムス部４３との各前身頃４２ａ，４３ａに、下方に行くに従って前記前身頃４２ａ，４３ａの軸線に次第に近づくように傾斜する線状に形成された左右一対の前身頃側模様がそれぞれ設けられている。また、前記トップス部４２の後見頃４２ｂに、そのトップス部４２の後見頃４２ｂおける軸線と交差し、且つそのトップス部４２の幅方向に延びる目視可能な線を備えた第１の後見頃側模様と、前記トップス部２及びボトムス部３との各後見頃４２ｂ，４３ｂに設けられた、下方に行くに従って前記後身頃４２ｂ，４３ｂの軸線に次第に近づくように傾斜する線状に形成された左右一対の第２の後身頃側模様が配設されている。
【００５１】
具体的に説明すると、前記水着１Ｂの前身頃について、前記トップス部４２の本体部４６の前身頃（正面側）には、前記トップス部４２に設けられた前身頃側模様として、下方に行くに従って前記トップス部４２の前身頃４２ａの軸線に次第に近づくように傾斜する目視可能な線を備えた左右一対の第１傾斜模様６１が配設されている。
前記第１傾斜模様６１は、左右一対の三角形状の模様６１ａ，６１ｂにより形成され、これらの三角形状の模様６１ａ，６１ｂが、前記本体部４６の前身頃の左右両端側における下端側、即ち、トップス部側裾部４９に接した状態で配設された態様となっている。これらの三角形状の模様６１ａ，６１ｂのうちの一辺が、前記本体部４６の直近の幅方向の端部から前記トップス部４２の前身頃４２ａの軸線に次第に近づくように斜め下方向に傾斜する辺（端面）となっている。そして、この傾斜する一辺が、下方に行くに従って前記トップス部４２の前身頃４２ａの軸線に次第に近づくように傾斜する目視可能な線として機能するようになっている。
なお、この第１傾斜模様６１の形状や位置、色彩、及び作用効果については、基本的に前記第１の実施の形態における前記第２傾斜模様２２と同様のものであるため、詳細な説明は省略する。
【００５２】
また、前記ボトムス部４３の前身頃４３ａ（正面側）には、ボトムス部４３側に設けられた前身頃側模様として、下方に行くに従って前記前身頃４３ａの軸線に次第に近づくように傾斜する目視可能な線状に形成された左右一対の第２傾斜模様６２が配設されている。
さらに、この第２傾斜模様６２とは別に、下方に行くに従って前記前身頃４３ａの軸線に次第に近づくように傾斜する目視可能な線を備えた左右一対の第３傾斜模様６３が配設されている。
【００５３】
前記第２傾斜模様６２は、前記ボトムス部４３の前見頃４３ａと後見頃４２ｂとの連結部分（即ち、ボトムス部３の幅方向の両端部）における前記ウエスト部５１の近傍から、前記大腿被覆部５２，５３を通って前記ボトムス部側裾部５４，５５にまでそれぞれ延びる、ボトムス部５３の前身頃５３ａの軸線の近傍に向けて斜め下方向に傾斜した一対の線状の模様６２ａ，６２ｂにより形成されている。
なお、この第２傾斜模様６２の形状や位置、色彩、及び作用効果については、基本的に前記第1の実施の形態における前記第３傾斜模様２３と同様であるため、詳細な説明は省略する。
【００５４】
また、前記第３傾斜模様６３は、左右一対の三角形状の模様６３ａ，６３ｂにより形成されたもので、これらの三角形状の模様６３ａ，６３ｂが、前記ボトムス部４３の前身頃４３ａの左右両端側における下端側、即ち、ボトムス部側裾部５４，５５に接した状態で配設された態様となっている。
そして、これらの三角形状の模様６３ａ，６３ｂのうちの一辺が、前記ボトムス部４３の直近の幅方向の端部から前記前身頃４３ａの軸線に次第に近づくように斜め下方向に傾斜する辺（端面）となっていて、この傾斜する一辺が、下方に行くに従って前記前身頃の軸線に次第に近づくように傾斜する目視可能な線として機能するようになっている。
なお、この第３傾斜模様６３の形状や位置、色彩、及び作用効果については、基本的に前記第1の実施の形態における前記第４傾斜模様２４と同様のものであるため、詳細な説明は省略する。
【００５５】
ここで、前記トップス部４２に、下方に行くに従って前記前身頃４２ａの軸線に次第に近づくように傾斜する目視可能な線を備えた左右一対の第１傾斜模様６１を設けると共に、前記ボトムス部４３に、下方に行くに従って前記前身頃４３ａの軸線に次第に近づくように傾斜する目視可能な線を備えた左右一対の第２傾斜模様６２及び第３傾斜模様６３を設けたのは、ミュラー・リヤー錯視を利用し、着用者を正面側から見た場合において着用者の胴を短く、且つ脚を長く見せるためである。
即ち、前記第１〜第３傾斜模様６１〜６３を下方向きに凸となる斜線として機能させることにより、第１〜第３傾斜模様６１〜６３の各位置において、前記第１の実施の形態で説明したミュラー・リヤー錯視を発現させている。
これにより、着用者を正面側から見た場合には、これらの各模様がない場合に比べて、第１〜第３傾斜模様６１〜６３の各位置を上方に引き上げるような錯視を発現させるため、着用者の胴が短く見える錯視効果が得られ、相対的に脚の長さが長く見える。
この結果、着用者を正面側から見た場合には、着用者を脚長胴短に見え易くすることができる。
【００５６】
一方、前記トップス部４２の本体部４６の後身頃（背面側）には、前記第１の後見頃側模様として、このトップス部４２の後見頃４２ｂにおける軸線と交差し、且つそのトップス部４２の後見頃の幅方向（左右方向）に延びる目視可能な線を備えた幅方向模様６４が設けられている。
さらに、トップス部４２側に設けられた左右一対の第２の後身頃側模様として、前記幅方向模様６４よりも下方側に、下方に行くに従って前記後身頃４２ｂの軸線に次第に近づくように傾斜する目視可能な線を備えた２種類の傾斜模様が設けられている。即ち、前記トップス部４２側の第２の後見頃側模様として、一対の線状の模様からなる第４傾斜模様６５と、左右一対の三角形状の模様の一辺により形成される第５傾斜模様６６とが配設されている。
【００５７】
前記幅方向模様６４は、前記本体部４６の後見頃における左右のアームホール部４８，４８の縁部分の間の空間に、これらの左右のアームホール部４８，４８の縁部分の間を架け渡すように、即ちトップス部４２の後見頃４２ｂにおける軸線と交差し、且つ後見頃４２ｂの幅方向に延びるように設けられている。
また、前記幅方向模様６４は、長さ方向の中央部分が上方側に凸となるように緩やかに湾曲した曲線状に形成されている。
なお、この幅方向模様６４は、基本的に前記第１の実施の形態の幅方向模様２５と同じ構成であり、また同様の作用効果であるため、詳細な説明は省略する。
【００５８】
また、前記第４傾斜模様６５は、前記トップス部４２の本体部４６の後見頃における左右のアームホール部４８，４８の下端側あたり、具体的には、左右のアームホール部４８，４８における着用者の肩甲骨のやや下方側近傍の縁部分から、下方に行くに従って前記トップス部４２の後身頃４２ｂの軸線に次第に近づくように傾斜した状態でトップス部側裾部４９にまでそれぞれ延びる、左右一対の線状の模様６５ａ，６５ｂにより形成されている。
なお、この第４傾斜模様６５は、基本的に前記第１の実施の形態の第５傾斜模様２６と同じ構成であり、また同様の作用効果であるため、詳細な説明は省略する。
【００５９】
さらに、前記第５傾斜模様６６は、左右一対の三角形状の模様６６ａ，６６ｂにより形成されたもので、これらの三角形状の模様６３ａ，６３ｂが、前記ボトムス部４３の後見頃４３ｂの左右両端側における下端側、即ち、ボトムス部側裾部５４，５５に接した状態で配設された態様となっている。
そして、これらの三角形状の模様６６ａ，６６ｂのうちの一辺が、前記ボトムス部４３の直近の幅方向の端部から前記後身頃４３ｂの軸線に次第に近づくように斜め下方向に傾斜する辺（端面）となっている。この傾斜する一辺が、下方に行くに従って前記後身頃４３ｂの軸線に次第に近づくように傾斜する目視可能な線として機能するようになっている。
この第５傾斜模様６６を形成する前記左右一対の三角形状の模様６６ａ，６６ｂは、前記第１傾斜模様６１を形成する左右一対の三角形状６１ａ，６１ｂの模様とほぼ同形同大となっていて、トップス部４２の本体部４６における後見頃と前身頃との連結部分において、隣接する前身頃側と後見頃側との三角形状の模様６１ａ，６１ｂ・６６ａ，６６ｂが相互に接した状態となっている。
なお、この第５傾斜模様６６の形状や位置、色彩、及び作用効果については、基本的に前記第1の実施の形態における前記第６傾斜模様２７と同様のものであるため、詳細な説明は省略する。
【００６０】
また、前記ボトムス部４３の後見頃４３ｂ（背面側）には、ボトムス部４３側に設けられた前記左右一対の後見頃側模様として、第６傾斜模様６７が設けられている。
前記第６傾斜模様は、左右一対の三角形状の模様６７ａ，６７ｂにより形成されたもので、これらの三角形状の模様６７ａ，６７ｂが、前記ボトムス部４３の後身頃４３ｂの左右両端側における下端側、即ち、ボトムス部側裾部５４，５５に接した状態で配設された態様となっている。
この第６傾斜模様６７を形成する左右一対の三角形状の模様６７ａ，６７ｂは、前記第３傾斜模様６３を形成する左右一対の三角形状の模様６３ａ，６３ｂとほぼ同形同大となっていて、ボトムス部４３の後見頃４３ｂと前身頃４３ａとの連結部分において、隣接する前身頃側と後見頃側との三角形状の模様６３ａ，６３ｂ・６７ａ，６７ｂが相互に接した状態となっている。
なお、この第６傾斜模様６７の形状や位置、作用効果については、基本的に前記第1の実施の形態における前記第７傾斜模様２８と同様のものであるため、詳細な説明は省略する。
【００６１】
ここで、トップス部４２の後見頃４２ｂに、トップス部側の第１の後見頃側模様、即ち幅方向模様６４と、トップス部４２に設けられた第２の後見頃側模様、即ち第４傾斜模様６５及び第５傾斜模様６６を設けると共に、ボトムス部４３の後見頃４３ｂに、ボトムス部４３に設けた第２の後見頃側模様である第６傾斜模様６７を設けたのは、ミュラー・リヤー錯視を利用し、着用者を正面側から見た場合において着用者の胴を短く、且つ脚を長く見せるためである。
即ち、前記幅方向模様６４を上方向きに凸となる斜線として機能させる一方で、前記第４〜第６傾斜模様６５〜６７を下方向きに凸となる斜線として機能させることにより、第４〜第６傾斜模様６５〜６７と幅方向模様６４との間の空間、及び第４〜第６傾斜模様６５〜６７の各位置において、前述のミュラー・リヤー錯視を発現させている。
これにより、着用者を背面側から見た場合には、これらの各模様がない場合に比べて、第４〜第６傾斜模様６５〜６７の各位置を上方に引き上げて見せると共に、幅方向模様６４と第４〜第６傾斜模様６５〜６７との間の空間を縮めるような錯視を発現させるため、着用者の胴が短く見える錯視効果が得られ、相対的に脚の長さが長く見える。
この結果、着用者を背面側から見た場合であっても、着用者を脚長胴短に見え易くすることができる。
【００６２】
ところで、前記トップス部４３の前身頃４３ａにおける着用者の胸部に対応する部分には、前述のように、水着の胸部の膨らみ部分の凹凸に減り張りを持たせる複数の色彩が付与されている。
具体的に、前記トップス部４３の前身頃４３ａにおける幅方向の中央側の位置であって、前記トップス部４３の前身頃４３ａにおいて着用者の胸部を被覆する部分に、その着用者の乳房の膨らみの頂部に相当する高さ位置（水着１Ｂの上下方向（着丈方向）の位置）を水着１Ｂの上下方向の基準高さとして、水着１Ｂの上下方向の高さにおいてその基準高さよりも高い部分に、明度の高い色彩を付した中央側明色領域７１が設けられている。一方で、水着１Ｂの上下方向の高さにおいて前記基準高さよりも低い部分に、前記中央側明色領域７１の色彩よりも明度が低い中央側暗色領域７２が設けられている。
【００６３】
このように、着用者の乳房の膨らみの頂部に相当する高さ位置を基準高さよりも上方側に位置する部分に前記中央側明色領域７１を、下方側に位置する部分に前記中央側暗色領域７２を設けたのは、陰影による錯視を発現させることによって、水着の前身頃をより立体的に見せて水着の胸部の凹凸に減り張りを持たせるためである。
これにより、着用者の乳房の膨らみに伴う水着の胸部の膨らみを強調される一方で、ウエスト部分が細く見えるため、外観上、より女性らしい体形に見せることが可能となる。
【００６４】
具体的に説明すると、前記陰影による錯視は、人間の目が、上方から光が当たっていると物が立体的且つ膨らんで見え易いという特性を利用しているものである。これは、人間は、日常生活において、太陽や電灯のように光は上方から当たると無意識に思うために生じると考えられる錯視であり、例え物に凹凸がなかったとしても、上方側が明色（光が当たっている）で下方側が暗色（影ができている）であると、膨らんでいると認識することを利用している。なお、逆に、上側が暗色で下方側が明色であると窪んでいると認識する。
そのため、この実施の形態においては、着用者の乳房の膨らみの頂部に相当する高さ位置を基準高さよりも上方側に前記中央側明色領域７１、下方側に前記中央側暗色領域７２を設けて、水着の胸部に立体感を持たせて膨らみを強調できるようにしている。
【００６５】
なお、この実施の形態においては、前記中央側暗色領域７２の下方側には、この中央側暗色領域７２の色彩よりも明度の高い色彩が付与されていて、前述した陰影による錯視を利用して、中央側暗色領域７２がより窪んで見えるようにしている。
また、前記中央側明色領域７１と前記中央側暗色領域７２とは、彩度との関係もあるが、明度の差ができるだけ大きくすることが好ましい。
【００６６】
また、前記水着１Ｂのトップス部４２の前身頃４２ａにおける前記中央側明色領域７１及び中央側暗色領域７２の幅方向の両側、具体的には着用者の脇下から脇腹に至る部分については、前記中央側明色領域７１の幅方向の両側に位置する部分に側部側暗色領域７３，７３がそれぞれ設けられている一方、各側部側暗色領域７３，７３の下方側であって前記中央側暗色領域７２の幅方向の両側に位置する部分に側部側明色領域７４，７４がそれぞれ設けられている。
これらの側部側暗色領域７３，７３及び側部側明色領域７４，７４は、中央側明色領域７１及び中央側暗色領域７２に伴う陰影による錯視の効果を一層効果的に強調し、水着１Ｂの前身頃をより立体的に見せることで、水着１Ｂの胸部の凹凸にさらに減り張りを持たせた状態に見せるためである。
即ち、これらの側部側暗色領域７３，７３及び側部側明色領域７４，７４の存在により、中央側明色領域７１及び中央側暗色領域７２が視覚的に一層目立つようになるため、水着１Ｂの前身頃の凹凸の減り張りをより効果的に見せて立体感が強調することができる、水着１Ｂの胸部を膨らみとウエスト部分の細さがさらに強調されることとなる。
【００６７】
また、前記ボトムス部６３の一対の大腿被覆部５２，５３は、４〜５分丈となっていて、前記第１の実施の形態のボトムス部３の大腿被覆部１２，１３よりも長く形成されている。
このように前記大腿被覆部５２，５３の長さを４〜５分丈としたのは、水着１Ｂによって着用者の大腿の大部分を被覆することにより、知覚的補完による錯視効果を発現させて、着用者の脚全体を外観上において可及的に細く見せ易くするためである。
この知覚的補完による錯視は、人間の脳が見えない部分は見える部分から推定する（補完する）傾向にあることを利用した錯視であり、視覚的に着用者の太腿のほとんどを被覆して直接的には見えないようにする一方で、太腿よりも細い脛や脹脛を直接的に見せることにより、見た者に脛等の太さに基づいて大腿の太さを知覚的に補完させるようにしている。
したがって、この知覚的補完による錯視により、着用者の脚全体を、外観上細く見せ易くすることが可能となる。
【００６８】
さらに、前記ボトムス部６３における一対の大腿被覆部５２，５３の各裾部の下端部、即ち各大腿被覆部５２，５３におけるボトムス部側裾部５４，５５の下端は、各大腿被覆部５２，５３の内腿側からボトムス部の直近の端部側に斜め上方に向けてそれぞれ傾斜している。
このボトムス部６３のボトムス部側裾部５４，５５の傾斜に係る構成については、基本的に前記第１の実施の形態のボトムス部側裾部１４，１５と同じあり、同様の作用効果を奏するため、詳細な説明は省略する。
【００６９】
なお、この実施の形態においては、前記トップス部４２に形成されている前記襟ぐり部４７における前身頃部分は、正面視略Ｖ字状に形成されている。これにより、前記第１の実施の形態と同様に、エコー錯視を利用して、水着の着用者の顔を小さく見せることが可能となっている。
【００７０】
前記構成を有する水着１Ｂは、前身頃の第１〜第３傾斜模様６１〜６３、後見頃の幅方向模様６４及び第４〜第６傾斜模様６５〜６７により各模様が形成する目視可能な線、さらには、前記ボトムス部３における一対の大腿被覆部５２，５３のボトムス部側裾部５４，５５の傾斜によりミュラー・リヤー錯視を生じさせることが可能である。
これにより、基本的に前記第１の実施の形態と同様に、着用者を正面側や背面側から見たときには、前記前身頃側及び後見頃側の各模様がない場合に比べ、着用者の胴が短く且つ脚が長く見える錯視効果を得ることができる。
【００７１】
さらには、この第２の実施の形態の場合、前記トップス部４２は、胸部を被覆する部分に、着用者の乳房の膨らみの頂部に相当する高さ位置を基準高さとして、その基準高さよりも高い部分に明度の高い色彩を付した中央側明色領域７１を、前記基準高さよりも低い部分に前記中央側明色領域７１の色彩よりも明度が低い中央側暗色領域７２をそれぞれ配設している。これにより、陰影による錯視効果によって、水着の立体感が増して凹凸の減り張りがつき易くなるため、着用者の胸部の膨らみが強調されやすい傾向となるため、着用者の外観上の体形をより女性らしくみせることができる。
【００７２】
図８〜図１０は、本発明の衣服の第３の実施の形態を示すもので、この実施の形態の衣服は、前記第１及び第２の実施の形態と同様に、衣服が水着である場合について説明する。
即ち、第３の実施の形態の水着１Ｃは、前記第１の実施の形態のような左右一対の前身頃側模様や第１の後見頃側模様、第２の後見頃側模様による錯視効果に加えて、着用者の腕の外観上の太さを細く見せることを可能としている。
【００７３】
この実施の形態における水着１Ｃは、前記第１の実施の形態と同様に、上半身に着用するトップス部８２と、着用者の左右の大腿の少なくとも一部を覆う左右一対の大腿被覆部９２，９３を有する、下半身に着用するボトムス部８３とを有している。
前記トップス部８２は、胸部及び腹部並びに背中を覆う本体部８６と、この本体部８６の上端側中央に設けられた、着用者の頭を通す襟ぐり部８７と、前記本体部８６の上方側の左右両端に設けられた、着用者の左右の上腕を通す左右一対の上腕被覆部８８．８８と、本体部８６の下端側に設けられたトップス部側裾部８９を備えている。
なお、ボトムス部８３がウエスト部９１、左右一対の大腿被覆部９２，９３、ボトムス部側裾部９４，９５を有している点については、前記第１の実施の形態の水着と同じである。
【００７４】
そして、前記水着１Ｃには、前記トップス部８２とボトムス部８３との各前身頃８２ａ，８３ａに、下方に行くに従って前記前身頃８２ａ，８３ａの軸線に次第に近づくように傾斜する線状に形成された左右一対の前身頃側模様がそれぞれ設けられている。
また、前記トップス部８２の後見頃８２ｂに、そのトップス部８２の後見頃８２ｂおける軸線と交差し、且つそのトップス部８２の幅方向に延びる目視可能な線を備えた第１の後見頃側模様と、下方に行くに従って前記後身頃８２ｂの軸線に次第に近づくように傾斜する線状に形成された左右一対の第２の後身頃側模様が配設されている。
【００７５】
具体的に説明すると、前記水着１Ｃの前身頃について、前記トップス部８２の本体部８６の前身頃（正面側）には、前記トップス部８２に設けられた前身頃側模様として、下方に行くに従って前記トップス部８２の前身頃８２ａの軸線に次第に近づくように傾斜する目視可能な線を備えた、３種類の左右一対の傾斜模様、即ち第１〜第３傾斜模様１０１〜１０３がそれぞれ配設されている。
さらに、前記トップス部８２の前身頃８２ａにおけるこれらの第１〜第３傾斜模様１０１〜１０３よりも上方側には、トップス部８２の前見頃８２ａにおける軸線と交差し、且つそのトップス部８２の幅方向に連続的に延びる目視可能な線を備えた前身頃側幅方向模様１０４が設けられている。
【００７６】
前記第１〜第３傾斜模様１０１〜１０３について、前記トップス部８２の前見頃８２ａにおける軸線側、即ち前身頃８２ａの幅方向の中央側に最も近い位置に前記第１傾斜模様１０１が配設されていると共に、最も遠い位置に前記第３傾斜模様１０３が配設され、これらの第１傾斜模様１０１と第３傾斜模様１０３との間の位置に前記第２傾斜模様１０２が配設されている。
なお、これらの第１〜第３傾斜模様１０１〜１０３を形成する線状の模様は、相互に非接触となっている。
【００７７】
前記第１傾斜模様１０１は、前記前身頃側幅方向模様１０４が位置している部分からトップス部側裾部８９にまで至る左右一対の線状の模様１０１ａ，１０１ｂにより形成されたもので、第１〜第３傾斜模様１０１〜１０３の中では最も急勾配の模様となっている。
なお、前記線状の模様１０１ａ，１０１ｂは、いずれも、略直線状又は曲線状の線により形成されている。
【００７８】
また、前記第２傾斜模様１０２は、前記トップス部８２の本体部８６の前身頃における前記上腕被覆部８８，８８との各連結部分の脇下部分からトップス部裾部８９に至る左右一対の線状の模様１０２ａ，１０２ｂにより形成されたもので、前記第１傾斜模様の勾配よりも緩い勾配の模様となっている。なお、図８に示すものの場合、この第２傾斜模様１０２を形成する一対の線状の模様１０２ａ，１０２ｂは、略直線状や曲線状の線により、略く字状に形成されたものとなっている。
さらに、前記第３傾斜模様は１０３、前記トップス部８２の本体部８６の両端部における脇腹部分からトップス部裾部８９に至る左右一対の線状の模様１０３ａ，１０３ｂにより形成されたもので、前記第１傾斜模様及び第２傾斜模様よりもさらに緩い勾配の模様となっている。なお、前記線状の模様１０３ａ，１０３ｂは、いずれも、略直線状又は曲線状の線により形成されている。
【００７９】
前記前身頃側幅方向模様１０４は、前記本体部８６の前身頃における胸部よりもやや上方側であって、本体部８６と左右の上腕被覆部８８，８８との連結部分の間の空間に、これらの本体部８６と上腕被覆部８８．８８との連結部分の間を架け渡すように、即ちトップス部８２の前見頃８２ａにおける軸線と交差し、且つ前見頃８２ａの幅方向に延びるように設けられている。
さらに、前記前身頃側幅方向模様１０４は、長さ方向の中央部分が上方側に凸となるように緩やかに湾曲した曲線状に形成されている。
【００８０】
また、図８及び図１０に示すように、前記ボトムス部８３の前身頃８３ａ（正面側）には、ボトムス部８３に設けられた前身頃側模様として、下方に行くに従って前記前身８３ａ頃の軸線に次第に近づくように傾斜する目視可能な線状に形成された、左右一対の第４傾斜模様１０５及び第５傾斜模様１０６がそれぞれ配設されている。
前記第４傾斜模様１０５及び第５傾斜模様１０６について、前記ボトムス部８３の前見頃８３ａにおける軸線側、即ち前身頃８３ａの幅方向の中央側に前記第４傾斜模様１０５が、ボトムス部８３の両側側、即ち第４傾斜模様１０５よりもボトムス部８３の幅方向の外方側に前記第５傾斜模様１０６がそれぞれ配設されている。なお、これらの第４傾斜模様１０５及び第５傾斜模様１０６を形成する線は、相互に非接触となっている。
【００８１】
前記第４傾斜模様１０５は、ボトムス部８３のウエスト部９１から左右の前記大腿被覆部９２，９３を通って前記ボトムス部側裾部９４，９５にまでそれぞれ延びる、ボトムス部８３の前身頃８３ａの軸線の近傍に向けて斜め下方向に傾斜した一対の線状の模様１０５ａ，１０５ｂにより形成されている。
一方、前記第５傾斜模様１０６は、前記ウエスト部９１よりやや下方側における、前記ボトムス部８３の前見頃８３ａと後見頃９３ｂとの連結部分（即ち、ボトムス部８３の幅方向の両端部）近傍から、前記大腿被覆部９２，９３を通って前記ボトムス部側裾部９４，９５にまでそれぞれ延びる、ボトムス部８３の前身頃８３ａの軸線の近傍に向けて斜め下方向に傾斜した一対の線状の模様１０６ａ，１０６ｂにより形成されている。
なお、前記第５傾斜模様１０６を形成する線状の模様１０６ａ，１０６ｂは、前記第４傾斜模様１０５を形成する線状の模様１０５ａ，１０５ｂに比べて、傾斜が緩くなっている。また、前記第５傾斜模様１０６については、厳密には、この第５傾斜模様１０６を形成する線状の模様１０６ａ，１０６ｂのさらに上端側は、ボトムス部８３のデザイン上、ボトムス部８３の後見頃８３ｂ側のウエスト部９１の位置まで延びている。
【００８２】
ここで、前記トップス部８２に、下方に行くに従って前記前身頃８２ａの軸線に次第に近づくように傾斜する目視可能な線を備えた左右一対の第１〜第３傾斜模様１０１〜１０３、及びトップス部８２の前身頃８２ａの幅方向に延びる前身頃側幅方向模様１０４を設けると共に、前記ボトムス部８３に、下方に行くに従って前記前身頃８３ａの軸線に次第に近づくように傾斜する目視可能な線を備えた左右一対の第４傾斜模様１０５及び第５傾斜模様１０６を設けたのは、ミュラー・リヤー錯視を利用し、着用者を正面側から見た場合において着用者の胴を短く、且つ脚を長く見せるためである。
【００８３】
即ち、前記第１〜第５傾斜模様１０１〜１０３，１０５，１０６を下方向きに凸となる斜線として機能させる一方、前記前身頃側幅方向模様１０４を上方向きに凸となる斜線として機能させることにより、これらの第１〜第５傾斜模様１０１〜１０３，１０５，１０６の各位置及び、第１〜第５傾斜模様１０１〜１０３，１０５，１０６全体と前身頃側幅方向模様１０４との間の空間において、前記第１の実施の形態で説明したミュラー・リヤー錯視を発現させている。
これにより、着用者を正面から見た場合に、これらの各模様がない場合に比べて、第１〜第５傾斜模様１０１〜１０３，１０５，１０６の各位置を上方に引き上げると共に、第１〜第５傾斜模様１０１〜１０３，１０５，１０６全体と前身頃側幅方向模様１０４との間の空間を縮めるような錯視を発現させるため、着用者の脚が長く胴が短くなるような錯視効果が得られる。
この結果、着用者を正面側から見た場合に、着用者を脚長胴短に見せることができる。
【００８４】
一方、前記トップス部８２の本体部８６の後身頃（背面側）には、前記第１の後見頃側模様として、このトップス部８２の後見頃８２ｂにおける軸線と交差し、且つそのトップス部８２の後見頃９２ｂの幅方向（左右方向）に延びる目視可能な線を備えた後見頃側幅方向模様１０７が設けられている。
さらに、トップス部８２側に設けられた第２の後身頃側模様として、前記後見頃側幅方向模様１０７よりも下方側に、下方に行くに従って前記トップス部８２の後身頃８２ｂの軸線に次第に近づくように傾斜する目視可能な線を備えた２種類の傾斜模様が設けられている。即ち、前記トップス部８２側の第２の後見頃側模様として、一対の線状の模様により形成された第６傾斜模様１０８及び第７傾斜模様１０９とが配設されている。
【００８５】
前記前身頃側幅方向模様１０７は、前記本体部８６の後身頃における、その本体部８６と左右の上腕被覆部８８，８８の連結部分との間の空間に、これらの本体部８６と上腕被覆部８８，８８との連結部分を架け渡すように、即ち前記トップス部８２の後見頃８２ｂにおける軸線と交差し、且つ後見頃８２ｂの幅方向に延びるように設けられている。
さらに、前記後身頃側幅方向模様１０７は、長さ方向の中央部分が上方側に凸となるように緩やかに湾曲した曲線状に形成されている。
【００８６】
前記第６傾斜模様１０８は、前記トップス部８２の本体部８６の後見頃における、本体部８６と前記上腕被覆部８８，８８との連結部分の脇下部分からトップス部裾部８９に至る左右一対の線状の模様により形成されたものである。
さらに、前記第７傾斜模様１０９は、前記トップス部８２の本体部８６の後見頃の両端部における脇腹部分からトップス部裾部８９に至る左右一対の線状の模様により形成されたもので、前記第６傾斜模様よりも勾配が緩い模様となっている。
なお、これらの第６傾斜模様１０８及び第７傾斜模様１０９を形成する線状の模様１０８a，１０８ｂ・１０９a，１０９ｂは、いずれも直線や曲線により形成されている。
【００８７】
ここで、前記トップス部８２の後見頃８２ｂに、このトップス部８２の後身頃８２ｂの幅方向に延びる前記後身頃側幅方向模様１０７を設けると共に、下方に行くに従って前記後身頃８２ｂの軸線に次第に近づくように傾斜する目視可能な線を備えた左右一対の第６傾斜模様１０８及び第７傾斜模様１０９を設けたのは、ミュラー・リヤー錯視を利用し、着用者を背面側から見た場合において着用者の胴を短く見せる一方で、脚を長く見せるためである。
【００８８】
即ち、前記後身頃側幅方向模様１０７を上方向きに凸となる斜線として機能させる一方で、前記第６傾斜模様１０８及び第７傾斜模様１０９を下方向きに凸となる斜線として機能させることにより、第６傾斜模様１０８及び第７傾斜模様１０９と前身頃側幅方向模様１０７との間の空間、及び第６傾斜模様１０８及び第７傾斜模様１０８の各位置において、前述のミュラー・リヤー錯視を発現させている。
これにより、着用者を背面側から見た場合には、これらの各模様がない場合に比べて、第６傾斜模様１０８及び第７傾斜模様１０９の各位置を上方に引き上げると共に、第６傾斜模様１０８及び第７傾斜模様１０９と前身頃側幅方向模様１０７との間の空間を縮めるような錯視を発現させるため、着用者の胴が短く見える錯視効果が得られ、相対的に脚の長さが長く見える。
この結果、着着用者を背面側から見た場合であっても、用者を脚長胴短に見え易くすることが可能となる。
【００８９】
ところで、この実施の形態においては、前述のように、前記トップス部８３には、基端部が前記本体部８６に連結された、着用者の左右の上腕を覆う左右一対の上腕被覆部８８，８８が設けられている。
これらの一対の上腕被覆部８８，８８は、袖幅Ｗが、着用者の上腕の幅の比べて十分に大きく形成されている。
このように、前記上腕被覆部８８の袖幅Ｗを、着用者の上腕の幅の比べて大きく形成するようにしたのは、エビングハウス錯視に代表される対比による錯視を発現させて、着用者の腕全体を細く見え易くするためである。
即ち、図１０に示すように、前記上腕被覆部８８の袖幅が、着用者の上腕１２０の幅（径）よりも十分に大きい場合、袖口から導出している着用者の上腕１２０の一部や前腕１２１（下腕）は、上腕被覆部８８の袖幅Ｗとの比較において細く見え易くなる（対比による錯視）。
これにより、前記上腕被覆部８８が着用者の上腕１２０にぴったりフィットしている場合に比べて、腕全体が細く見えるため、着用者全体を細く見せることに寄与することとなる。
【００９０】
なお、これらの一対の上腕被覆部８８，８８の各袖幅Ｗについては、着用者の上腕の最大太さの位置における幅（最大径）の大きさの約１．１倍以上とすることが好ましい。
また、一対の上腕被覆部８８，８８の袖口幅については、着用者の上腕にぴったりフィットするかあるいは軽く締め付ける程度の大きさにしてもよい。
【００９１】
また、前記一対の上腕被覆部８８，８８は、肘の動きを阻害しない範囲において着用者の上腕のほとんどを被覆できるように、袖丈が４〜５分丈となるように形成されている。
このように前記上腕被覆部を４〜５分丈としたのは、水着によって着用者の上腕の大部分を被覆することにより、知覚的補完による錯視効果を発現させて、着用者の腕全体を、外観上において可及的に細く見せ易くするためである。即ち、視覚的に着用者の上腕のほとんどを被覆して直接的には見えないようにする一方で、太腿よりも前腕や手首を直接的に見せることにより、見た者に前腕の太さに基づいて上腕の太さを知覚的に補完させるようにしている。
したがって、上腕被覆部の袖口を大きくしたことに伴う対比による錯視効果と併せて、より効果的に着用者の腕全体を細く見せ易くすることが可能となる。
【００９２】
また、前記ボトムス部８３の一対の大腿被覆部９２，９３は、前記第２の実施の形態と同様に、４〜５分丈に形成されていて、これにより、知覚的補完による錯視を発現させて着用者の脚全体を外観上細く見せ易くすることができるようにしている。
このように前記大腿被覆部９２，９３の長さを４〜５分丈とした理由、特に知覚的補完による錯視効果については、前記第２の実施の形態と同じであるため、詳細な説明は省略する。
【００９３】
さらに、前記ボトムス部８３における一対の大腿被覆部９２，９３の各裾部の下端部、即ち各大腿被覆部９２，９３におけるボトムス部側裾部９４，９５は、各大腿被覆部９２，９３の内腿側からボトムス部の直近の端部側に斜め上方に向けてそれぞれ傾斜している。
このボトムス部８３のボトムス部側裾部９４，９５における下端の傾斜に係る構成については、基本的に前記第１の実施の形態と同じあり、同様の作用効果を奏するため、詳細な説明は省略する。
【００９４】
なお、この実施の形態においては、前記トップス部８２に形成されている前記襟ぐり部８７における前身頃部分は、正面視略Ｖ字状に形成されている。これにより、前記第１の実施の形態と同様に、エコー錯視を利用して、水着の着用者の顔を小さく見せることが可能となっている。
【００９５】
前記構成を有する水着１Ｃは、前身頃に第１〜第５傾斜模様１０１〜１０３，１０５，１０６、さらに前身頃側幅方向模様１０４を設けると共に、後見頃に後見頃側幅方向模様１０７及び第６傾斜模様１０８及び第７傾斜模様１０９を設けたことにより、各模様１０１〜１０９が形成する目視可能な線、さらには、前記ボトムス部８３における一対の大腿被覆部９２，９３のボトムス部側裾部９４，９５の傾斜によりミュラー・リヤー錯視を生じさせることが可能である。
これにより、基本的に前記第１の実施の形態と同様に、着用者を正面側や背面側から見たときには、前記前身頃側及び後見頃側の各模様がない場合に比べ、着用者の胴が短く且つ脚が長く見える錯視効果を得ることができる。
【００９６】
さらには、この第３の実施の形態の場合、前記トップス部８２に、基端部が前記本体部８６に連結された、着用者の左右の上腕を覆う左右一対の上腕被覆部８８，８８を設け、これらの一対の上腕被覆部８８，８８の各袖幅Ｗを着用者の上腕の幅よりも大きくして、大きさ的にゆとりを持たせたため、対比による錯視により、腕全体を細く見せ易くすることができる。これにより、着用者全体としてしても細く見せ易い。
【００９７】
前記第１〜第３の実施の形態においては、前記前身頃側模様、第１の後見頃側模様、第２の後身頃側模様について、線状の模様によりこれらの模様を形成しているものが存在するが、これらの前記前身頃側模様、第１の後見頃側模様、第２の後身頃側模様については、帯状の模様により形成するようにしてもよい。あるいは、三角形状の模様を利用して、その三角形状の模様における傾斜する１辺により形成される線を前記前身頃側模様、第１の後見頃側模様、第２の後身頃側模様としてもよい。
【００９８】
また、前記第１〜第３の実施の形態においては、前記前身頃側模様及び第２の後身頃側模様の一部について、三角形状の模様の１辺を利用して目視可能な線を形成したものが存在するが、前身頃側模様及び第２の後身頃側模様は、必ずしも三角形状の模様を利用したものである必要はなく、目視可能な線を形成することができれば、単純な線状又は帯状の模様により形成することができる。
【００９９】
前記第１の実施の形態においては、トップス部２の前身頃２ａに左右一対の縞状模様部３１を設けたものとなっているが、この縞状模様部は省略することができる。また、この縞状模様部を第２及び第３の実施の形態における水着のトップス部の前見頃に設けてもよい。
【０１００】
前記第１の実施の形態では、前記縞状模様部３１は線状の模様により形成されているが、線に比べて幅が広い帯状の模様で形成してもよい。
さらに、前記第１の実施の形態では、前記縞状模様部３１は、７本の線状の模様により形成されているが、複数本であれば、２〜６本、あるいは８本以上の線状又は帯状の模様を用いてもよい。ただし、３本以上の線状又は帯状の模様で形成する場合は、隣り合う線状又は帯状の模様間の各間隔が、トップス部の前身頃における直近の幅方向の端部側に位置する線状又は帯状の模様間の間隔ほど幅狭になるように、各線状又は帯状の模様を配置することが好ましい。
【０１０１】
また、前記第１の実施の形態では、前記縞状模様部３１を、相互に同じ幅の線状の模様３１ａ，３１ｂにより形成し、隣り合う線状又は帯状の模様間の各間隔が、トップス部の前身頃における直近の幅方向の端部側に位置する線状又は帯状の模様間の間隔ほど幅狭になるように配設している。
しかしながら、縞状模様部を形成する線状又は帯状の模様を等間隔に配置すると共に、トップス部の前身頃における直近の幅方向の端部側に位置する線状又は帯状の模様ほど幅を小さくすることにより、縞状模様部によって奥行きを強調する錯視効果を発現できるようにして、トップス部の前身頃に立体感を持たせることができるようにしてもよい。
【０１０２】
前記第１〜３の実施の形態においては、下方に行くに従って前記前身頃の軸線に次第に近づくように傾斜する目視可能な線を備えた左右一対の前身頃側模様を、前記トップス部とボトムス部との両方の前身頃に設けているが、この前身頃側模様は、トップス部とボトムス部との少なくともいずれか一方の前身頃に設けられていればよい。
また、前記第１〜第３の実施の形態においては、前記前身頃側模様として、第１の実施の形態の場合は第１〜４傾斜模様の４種類、第２の実施の形態の場合は第１〜第３傾斜模様の３種類、第３の実施の形態の場合は第１〜第５傾斜模様の５種類からなる、複数対の傾斜模様を配設している。しかしながら、この前身頃側模様は、少なくとも下方に行くに従って前記前身頃の軸線に次第に近づくように傾斜する目視可能な線を備えた左右一対の模様であれば、少なくとも１種類（一対）の模様が用いられていればよく、逆に６種類以上の模様を用いてもよい。
【０１０３】
また、前記第１〜３の実施の形態においては、前記トップス部の後見頃における軸線と交差し、且つそのトップス部の幅方向に連続的に延びる第１の後見頃側模様として、幅方向模様を１本のみ設けているが、この第１の後見頃側模様は複数本設けてもよい。
さらに、前記第１〜３の実施の形態においては、第１の後見頃側模様としての幅方向模様を、長さ方向の中央部分が上方側に凸となるように緩やかに湾曲した曲線状に形成しているが、この幅方向模様は略直線状であってもよい。なお、第１の後見頃側模様としての幅方向模様が略直線状であっても、ミュラー・リヤー錯視は発現する。
【０１０４】
前記第１の実施の形態及び第２の実施の形態においては、下方に行くに従って前記後身頃の軸線に次第に近づくように傾斜する目視可能な線を備えた左右一対の第２の後身頃側模様を、トップス部及びボトムス部の両方の後見頃にそれぞれ設けている。
しかしながら、前記第２の後見頃側模様は、トップス部とボトムス部との少なくともいずれか一方の後身頃に設けられていれば、第３の実施の形態のようにトップス部のみに設けられていてもよく、あるいはボトムス部のみに設けられていてもよい。
【０１０５】
前記第１〜３の実施の形態においては、前記ボトムス部における一対の大腿被覆部は、各裾部（ボトムス部側裾部）の下端部が、内腿側からボトムス部の直近の端部側に斜め上方に向けてそれぞれ傾斜した構成となっているが、前記大腿部被覆部の裾部は必ずしもこのような傾斜を備えていなくてもよい。
【０１０６】
前記第１及び第２の実施の形態においては、トップス部がスリーブレスの構成となっているが、第３の実施の形態のように、トップス部の本体部に、着用者の上腕を覆う左右一対の上腕被覆部を設けてもよい。このとき、一対の上腕被覆部は、袖幅が、着用者の上腕の幅の比べて大きく形成することが好ましく、また４〜５分丈とすることが好ましい。
【０１０７】
また、第３の実施の形態においては、前記トップス部８３に形成した前記一対の上腕被覆部８８，８８の各袖幅Ｗが、着用者の上腕の幅の比べて大きく形成されているが、これらの一対の上腕被覆部は必ずしもこのような袖幅とする必要はなく、任意の袖幅とすることができる。
また、第３の実施の形態では、前記上腕被覆部８８，８８を４〜５分丈としているが、これらの一対の上腕被覆部は任意の袖丈とすることができる。あるいは、これらの一対の上腕被覆部は省略してもよく、第１及び第３の実施の形態のようにスリーブレスの構成としてもよい。
【０１０８】
前記第２の実施の形態においては、前記トップス部４２は、胸部を被覆する部分において、着用者の乳房の膨らみの頂部に相当する高さ位置を基準高さとして、その基準高さよりも高い部分に明度の高い色彩を付した明色領域を備えていると共に、前記基準高さよりも低い部分に明色領域の色彩よりも明度が低い暗色領域を備えている。
しかしながら、このような明色領域及び暗色領域は必ずしも必要ではなく、省略することができる。逆に、このような明色領域及び暗色領域を、第１及び第３の実施の形態における水着のトップス部に設けてもよい。
【０１０９】
前記第２及び第３の実施の形態においては、前記ボトムス部の一対の大腿被覆部は４〜５分丈としているが、必ずしも４〜５分丈とする必要はなく、第１の実施の形態のように２〜３分丈、あるいは以外の丈としてもよく、任意に設定することができる。
逆に、第１の実施の形態の水着について、前記ボトムス部の一対の大腿被覆部を４〜５分丈として、知覚的補完の錯視を発現させるようにしてもよい。
【０１１０】
なお、第１〜第３の実施の形態においては、前記トップス部に形成されている前記襟ぐり部における前身頃部分を、正面視略Ｖ字状に形成してエコー錯視が発現するようにしているが、襟ぐり部は必ずしもこのような形状とする必要はなく、正面視略半円形状等の任意の形状としてもよい。
【０１１１】
また、前記１〜第３の実施の形態における水着１Ａ〜１Ｃは、トップス部とボトムス部とが相互に別体に形成されていて、別々に着用することが可能となっているが、本発明においては、トップス部とボトムス部とが一体に形成されていて、水着の正面側あるいは背面側に設けたファスナー（スナップボタン）等によって着脱用の開口を拡縮自在とした構成であってもよい。
【０１１２】
さらに、前記第１〜第３の実施の形態においては、本発明の衣服が水着である場合について述べているが、本発明の衣服は、水着のみに限定されず、トップス部とボトムス部とを有する衣服であれば、例えばレオタードや体操着等の運動用の衣服など、各種のものとすることができる。
【符号の説明】
【０１１３】
１Ａ〜１Ｃ    水着（衣服）
２，４２，８２    トップス部
３，４３，８３    ボトムス部
６    トップス部の本体部
７    襟ぐり部
８    アームホール部
９    トップス部裾部
１１    ウエスト部
１２，１３，５２，５３，９２，９３    大腿被覆部
１４，１５，５４，５５，９４，９５    ボトムス部側裾部
３１    縞状模様部
７１    中央側明色領域
７２    中央側暗色領域
８８    上腕被覆部
Ｗ    上腕被覆部の袖幅
【図１】
2015137439.tif 000003
【図２】
2015137439.tif 000004
【図３】
2015137439.tif 000005
【図４】
2015137439.tif 000006
【図５】
2015137439.tif 000007
【図６】
2015137439.tif 000008
【図７】
2015137439.tif 000009
【図８】
2015137439.tif 000010
【図９】
2015137439.tif 000011
【図１０】
2015137439.tif 000012
【図１１】
2015137439.tif 000013